(57)【要約】【課題】  、簡単な構成により、当該電源ラインパターンに印加される電圧値を容易に判別することができるプリント回路基板およびこのプリント回路基板を備えた電子機器を提供することを目的とする。【解決手段】  基板４１の所定位置に、導電層５１と、この導電層５１の上に絶縁層５２を設けて形成した電源ラインパターン５を有するプリント回路基板４において、絶縁層５２の上に、当該電源ラインパターン５に印加される所定の電圧値を、表示するラインマーク領域６を設け、このラインマーク領域６に、所定幅の複数のライン６ａ、６ｂをシルク印刷により印刷し、ライン６ａ、６ｂのライン幅の組み合わせにより電圧値を表示するように構成する。【選択図】図４
2008177420.tif 000002
【特許請求の範囲】
【請求項１】
基板の所定位置に、導電層と、この導電層の上に絶縁層を設けて形成した電源ラインパターンを有するプリント回路基板を備えた電子機器において、
前記絶縁層の上に、当該電源ラインパターンに印加される所定の電圧値を表示するラインマーク領域を、一定間隔で複数箇所に設け、前記ラインマーク領域に、所定幅の複数のラインをシルク印刷により印刷し、前記ラインのライン幅の組み合わせにより前記電圧値を表示したことを特徴とする電子機器。
【請求項２】
基板の所定位置に、導電層と、この導電層の上に絶縁層を設けて形成した電源ラインパターンを有するプリント回路基板において、
前記絶縁層の上に、当該電源ラインパターンに印加される所定の電圧値を表示するラインマーク領域を設け、このラインマーク領域に、所定幅の複数のラインをシルク印刷により印刷し、前記ラインのライン幅の組み合わせにより前記電圧値を表示したことを特徴とするプリント回路基板。
【請求項３】
前記ラインマーク領域は、当該電源ラインパターンの少なくとも両端部近傍に設けたことを特徴とする請求項２に記載のプリント回路基板。
【請求項４】
前記ラインマーク領域は、当該電源ラインパターンの複数箇所に一定間隔で設けたことを特徴とする請求項２に記載のプリント回路基板。
【請求項５】
前記電源ラインパターンは、当該基板上に複数設けられていることを特徴とする請求項２乃至請求項４に記載のプリント回路基板。
【請求項６】
前記ラインのライン幅は、幅が広くなるに従って、電圧値が大きくなることを特徴とする請求項２乃至請求項４に記載のプリント回路基板。
【発明の詳細な説明】
【技術分野】
【０００１】
本発明は、例えば、テレビジョンなどの電子機器内部において、各種の電子部品などを実装してなるプリント回路基板およびこのプリント回路基板を備えた電子機器に関し、特に、簡単な構成により、プリント回路基板上に形成された電源ラインパターンに印加される電圧値を容易に判別することができるようにしたものである。
【背景技術】
【０００２】
一般に、電子機器であるテレビジョンにあっては、例えば、装置本体の制御用のメインのプリント回路基板上に、各種の電子部品が実装され、基板上に形成された電源ラインパターンを介して電力が給電されている。従って、電源ラインパターンには、所定の電圧が印加されている。そして、この種テレビジョンの組み立て時や、検査時、更には、修理時などには、当該電源ラインパターンに印加されている電圧値や、電圧値からどのような回路であるかなど、回路図を参照しないで簡単に判別することが望まれている。
【０００３】
この対策として、従来では、例えば、電源ラインパターンの上にその電圧値や、使用目的などを文字で表したものがある(例えば、特許文献１参照）。
【０００４】
また、プリント基板にエッチングなどにより回路パターンを印刷して図番を表示する際に、基本図番と改定記号部を表す文字を、それぞれ異なる印刷方法で作製するようにしたものがある(例えば、特許文献２参照）。
【特許文献１】実開平１−７９８６６号公報
【特許文献２】特開昭６２−９４９９７号公報
【発明の開示】
【発明が解決しようとする課題】
【０００５】
しかし、前述の特許文献１記載の構成では、電源ラインパターンのパターン幅が広い場合はよいが、パターン幅が狭い場合には、電圧値などを文字で表すのは困難であり、また、仮に、表示することができたとしても、それを読取ることができず、結局、回路図を参照する必要がるなどといった不都合があった。また、特許文献２記載の構成では、基本図番と改定記号部が判別することができるに留まり、プリント回路基板に形成された電源ラインパターンの電圧値を判別することはできないなどといった問題があった。
【０００６】
本発明は、上述した問題を解決するためになされたものであり、簡単な構成により、当該電源ラインパターンに印加される電圧値を容易に判別することができるプリント回路基板およびこのプリント回路基板を備えた電子機器を提供することを目的とする。
【課題を解決するための手段】
【０００７】
かかる目的を達成するため、本発明では、基板の所定位置に、導電層と、この導電層の上に絶縁層を設けて形成した電源ラインパターンを有するプリント回路基板を備えた電子機器において、絶縁層の上に、当該電源ラインパターンに印加される所定の電圧値を表示するラインマーク領域を、一定間隔で複数箇所に設け、ラインマーク領域に、所定幅の複数のラインをシルク印刷により印刷し、ラインのライン幅の組み合わせにより電圧値を表示するように構成する。
【０００８】
この構成によれば、当該電源ラインパターンの複数箇所に一定間隔で、当該電源ラインパターンに印加される所定の電圧値を、表示したラインマーク領域が設けられ、このラインマーク領域にラインのライン幅を組み合わせて電圧値が表示されている。従って、この種プリント回路基板を扱う作業者は、組み立て時や、検査時、更には、修理時などに、ラインマーク領域に印刷されたラインのライン幅の組み合わせから、当該電源ラインパターンに印加される電圧値を、極めて容易に判別することができる。更には、当該電源ラインパターンの複数箇所に一定間隔で、ラインマーク領域が設けられ、ラインのライン幅の組み合わせにより電圧値が表示されているので、実装されている電子部品との関係から、どのような回路であるか容易に判別することができ、都合がよい。
【０００９】
また、本発明においては、基板の所定位置に、導電層と、この導電層の上に絶縁層を設けて形成した電源ラインパターンを有するプリント回路基板において、絶縁層の上に、当該電源ラインパターンに印加される所定の電圧値を、表示するラインマーク領域を設け、このラインマーク領域に、所定幅の複数のラインをシルク印刷により印刷し、ラインのライン幅の組み合わせにより電圧値を表示するように構成する。
【００１０】
この構成によれば、当該電源ラインパターンには、当該電源ラインパターンに印加される所定の電圧値を、表示したラインマーク領域が設けられ、所定幅の複数のラインを組み合わせて電圧値が表示されている。従って、この種プリント回路基板を扱う作業者は、組み立て時や、検査時、更には、修理時などに、ラインマーク領域に印刷されたラインのライン幅の組み合わせから、当該電源ラインパターンに印加される電圧値を、極めて容易に判別することができる。
【００１１】
また、本発明においては、ラインマーク領域は、当該電源ラインパターンの少なくとも両端部近傍に設ける。この構成によれば、当該電源ラインパターンの少なくとも両端部近傍にラインマーク領域が設けられ、ライン幅の組み合わせにより電圧値が表示されているので、実装されている電子部品との関係から、どのような回路であるか容易に判別することができ、都合がよい。
【００１２】
また、本発明においては、ラインマーク領域は、当該電源ラインパターンの複数箇所に一定間隔で設ける。この構成によれば、当該電源ラインパターンの複数箇所に一定間隔でラインマーク領域が設けられ、当該電源ラインパターンの電圧値がラインのライン幅の組み合わせにより表示されている。従って、当該電源ラインパターンが複雑なパターンであっても、各回路の判別を極めてように行うことができ、都合がよい。
【００１３】
また、本発明においては、電源ラインパターンを、当該基板上に複数設ける。この構成によれば、一枚の基板上に複数の電源ラインパターンを設けることができ、より複雑な回路構成にも対応することがで、都合がよい。
【００１４】
更に、本発明においては、ラインのライン幅は、幅が広くなるに従って、電圧値が大きくなるようにする。この構成によれば、ラインのライン幅が広くなるに従って、電圧値が大きくなるので、この種プリント回路基板を扱う作業者は、一般的な感覚で、直感的に当該電源ラインパターンの電圧値を判別することがで、都合がよい。
【発明の効果】
【００１５】
本発明によれば、極めて簡単な構成により、当該電源ラインパターンに印加される電圧値を容易に判別することができるプリント回路基板およびこのプリント回路基板を備えた電子機器を得ることができる。
【発明を実施するための最良の形態】
【００１６】
以下、本発明の一実施形態を図１乃至図５に基づいて説明する。図１は、本発明の一実施形態に係る電子機器の一例であるテレビジョンの概略構成を示す側面断面成図、図２は、図１に示すプリント回路基板の概略構成を示す平面図、図３は、図２に示す電源ラインパターンの一例を示す拡大平面図、図４は、図３に示す電源ラインパターンの要部を拡大した側面断面図である。図５は、ラインのライン幅と電圧との関係の一例を示す図である。
【００１７】
図１に示すように、このテレビジョン１は、例えば、フロントケース２１と、リアケース２２とからなるケース２内に、外部から受信した映像を表示するＣＲＴ３（Ｃａｔｈｏｄｅ Ｒａｙ Ｔｕｂｅ：陰極線管）と、プリント回路基板４などが収納されている。プリント回路基板４は、図２に示すように、絶縁性の基板４１の所定位置に、電源ユニット４２およびフライバックトランス４３、各種の電子部品４４などを実装して構成されている。そして、プリント回路基板４は、フロントケース２１の底部に設けられた一対のガイド部材２３により支持固定されている。このガイド部材２３は、例えば、図示しないが断面コ字状のガイド溝を有し、互いにガイド溝が対向するように配設され、当該ガイド溝間に、プリント回路基板４が挿入され支持固定されている。また、プリント回路基板４には、例えば、フロントケース２１、およびリアケース２２から、その一部が露出するように配置された外部接続用のピン型のジャック４５および電源用のコネクタ４６が装着されている。このジャック４５を介して外部に音声信号、再生信号が出力されたり、内部に記録信号、操作信号などを入力したりするように構成されている。また、電源用のコネクタ４６には、図示しないが、一端が交流電源のコンセントに繋がれたケーブルが接続され、このコネクタ４６を介してプリント回路基板４に実装された電源ユニット４２に電力が給電されるように構成されている。
【００１８】
プリント回路基板４は、例えば、図２に示すように、基板４１の所定位置に、コネクタ４５から電源ユニット４１、電源ユニット４１からフライバックトランス４２、および各種の電子部品４３に電力を給電するための電源ラインパターン５が、例えば、シルク印刷などにより形成されている。また、図示しないが、信号を伝達するためのパターンも同時に形成されている。電源ラインパターン５は、例えば、図４に示すように、基板４１の上に銅などからなる導電層５１を形成し、この導電層５１の上に、一部露出した接続部５１ａを除き、絶縁層５２を形成して構成されている。
【００１９】
而して、本発明に従い、図３および図４に示すように、電源ラインパターン５の絶縁層５２の上に、当該電源ラインパターン５に印加される所定の電圧値を、表示するラインマーク領域６を設け、このラインマーク領域６に、所定幅の複数のライン６ａ、６ｂをシルク印刷により印刷し、ライン６ａ、６ｂのライン幅の組み合わせにより電圧値を表示する。ライン幅と電圧との関係は、例えば、図５に示すように、ライン６ａのライン幅ｔを０．５ｍｍとして、このライン６ａが１本で１Ｖを、また、ライン６ｂのライン幅ｔを２ｍｍとして、このライン６ｂが１本で５Ｖを表すものとする。更に、図示しないが、
ライン幅ｔが５ｍｍのライン（６ｃ）が１本で１０Ｖを、また、ライン幅ｔが１０ｍｍのライン（６ｄが）１本で５０Ｖを、それぞれ表すものといったように、予め決めておく。図３および図４に示す例では、電源ラインパターン５に印加される電圧は、０．５ｍｍのライン幅のライン６ａが２本と、２ｍｍのライン幅のライン６ｂが１本であり、従って、１Ｖ＋１Ｖ＋５Ｖ＝７Ｖであることを表示している。
【００２０】
このラインマーク領域６は、該電源ラインパターン５上の複数箇所に一定間隔Ｌ、例えば、３ｃｍ乃至５ｃｍ間隔で設けるように構成しても、或いは、当該電源ラインパターン５の少なくとも両端部近傍にそれぞれ設けるように構成してもよい。また、ライン６ａ、６ｂ……は、基板４１に回路をシルク印刷などに印刷する工程において同時に印刷すれば、殊更、ライン６ａ、６ｂ……を印刷する工程を別途設ける必要がないので、この種プリント回路基板の製作コストをアップすることなく実現でき、好ましい。
【００２１】
かかる構成により、例えば、組み立て時や、検査時、更には、修理時などに、図３に示すプリント回路基板４を扱う作業者は、ラインマーク領域６に印刷されたライン幅６ａ、６ｂ（６ｃ、６ｄ）の組み合わせから、当該電源ラインパターン５に印加される電圧値は、７Ｖであると判別することができる。
【００２２】
以上の構成による本実施形態によれば、当該電源ラインパターン５の複数箇所に一定間隔で、当該電源ラインパターン５に印加される所定の電圧値を、表示したラインマーク領域６が設けられ、ライン６ａ、６ｂ、６ｃ、６ｄのライン幅を組み合わせて電圧値が表示されている。従って、この種プリント回路基板４を扱う作業者は、組み立て時や、検査時、更には、修理時などに、ラインマーク領域６に印刷されたライン６ａ、６ｂ、６ｃ、６ｄのライン幅の組み合わせから、当該電源ラインパターン５に印加される電圧値を、極めて容易に判別することができる。更には、当該電源ラインパターン５の複数箇所に一定間隔で、ラインマーク領域６が設けられ、ライン６ａ、６ｂ、６ｃ、６ｄのライン幅の組み合わせにより電圧値が表示されているので、実装されている電子部品４４との関係から、どのようなラインであるかも容易に判別することができ、都合がよい。
【００２３】
また、本実施形態によれば、ラインマーク領域６は、当該電源ラインパターン５の少なくとも両端部近傍に設けられ、ライン６ａ、６ｂ、６ｃ、６ｄのライン幅の組み合わせにより電圧値が表示されているので、実装されている電子部品４４との関係から、どのような回路であるかも容易に判別することができ、都合がよい。
【００２４】
また、本実施形態によれば、電源ラインパターン５を、当該プリント回路基板４上に複数設けているので、より複雑な回路構成にも対応することができるので、都合がよい。
【００２５】
また、本実施形態によれば、ライン６ａ、６ｂ、６ｃ、６ｄのライン幅が広くなるに従って、電圧値が大きくなるので、この種プリント回路基板６を扱う作業者は、一般的な感覚で、直感的に当該電源ラインパターン５の電圧値を判別することができるので、都合がよい。
【００２６】
なお、上述した実施形態は、本発明の好適な実施例であるが、本発明はこれに限定されるものではなく、本発明の要旨を逸脱しない範囲において、種々変形実施可能である。
【００２７】
例えば、上述した実施形態では、電源ラインパターン５に対してライン６ａ、６ｂ、６ｃ、６ｄを垂直に表示したが、電源ラインパターン５に対してライン６ａ、６ｂ、６ｃ、６ｄを傾斜するように表示してもよいのは、勿論である。また、ライン６ａ、６ｂ、６ｃ、６ｄのライン幅は、図５に示すような値に限定されることはなく、適宜好ましい幅に選定すればよいのは、勿論である。
【００２８】
また、本発明は、電源ラインパターン５の幅が、２ｍｍ〜３ｍｍ以下の場合に、特に効果的であり、例えば、幅が２ｍｍ〜３ｍｍを超える電源ラインパターン５が、同一プリント回路基板４上に混在する場合には、幅が２ｍｍ〜３ｍｍを超える電源ラインパターン５は、従来と同様、文字による電圧値を表示し、幅が２ｍｍ〜３ｍｍ以下の電源ラインパターン５にのみ本発明を適用するようにしてもよいのは、勿論である。
【図面の簡単な説明】
【００２９】
【図１】本発明の一実施形態に係る電子機器の一例であるテレビジョンの概略構成を示す側面断面成図である。
【図２】図１に示すプリント回路基板の概略構成を示す平面図である。
【図３】図２に示す電源ラインパターンの一例を示す拡大平面図である。
【図４】図３に示す電源ラインパターンの要部を拡大した側面断面図である。
【図５】ラインのライン幅と電圧との関係の一例を示す図である。
【符号の説明】
【００３０】
１      電子機器（テレビジョン）
４      プリント回路基板
４１    基板
５      電源ラインパターン
５１    導電層
５２    絶縁層
６      ラインマーク領域
６ａ    ライン
６ｂ    ライン
【図１】
2008177420.tif 000003
【図２】
2008177420.tif 000004
【図３】
2008177420.tif 000005
【図４】
2008177420.tif 000006
【図５】
2008177420.tif 000007